【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
１つ以上のインターレースの副搬送波を、対応する副搬送波のマップされたシンボルが第１の順序でインターリーブされるようにビット反転方法でインターリーブすること、
前記マップされたシンボルが第２の順序でインターリーブされるように一つ以上のインターレースをインターリーブすること、
を含む、インターリーブ方法。
【請求項２】
前記副搬送波の数が２の二乗でなければ、前記ビット逆転方法は縮小セットビット反転動作である、請求項１の方法。
【請求項３】
前記インターリーブは種々のＦＦＴサイズを有する直交周波数分割多重（ＯＦＤＭ）を利用している無線通信システムにおいて行われる、請求項２の方法。
【請求項４】
前記インターリーブは種々のＦＦＴサイズを有する直交周波数分割多重（ＯＦＤＭ）を利用している無線通信システムにおいて行われる、請求項１の方法。
【請求項５】
副搬送波をインターリーブすることは：
空き副搬送波インデックスベクトル（ＳＣＩＶ）を作成すること；
インデックス変数（ｉ）をゼロに初期化すること；
ｉをそのビット反転９−ビット値（ｉｂｒ）に変換すること；
ｉｂｒが５１１未満ならば、ｉｂｒをＳＣＩＶに付加すること；
ｉが５１１未満であるならば、ｉを１つ増加すること、前記変換、付加及び増加を繰り返すこと、
を含む、請求項２の方法。
【請求項６】
前記１つ以上インターレースをインターリーブすることは：
１Ｋ  ＦＦＴサイズに対して、ｉ番目の変調シンボルをインターフェースＩｋ(ｓ)のｊ番目の副搬送波にマップすることによって４つの連続ＯＦＤＭシンボルのインターフェースをスロットｓにマッピングすることを含み、但し、ｉ｛０，１，．．．，４９９｝であり、
ｋ＝ＢＲ２（ＳＣＩＶ［ｉ］ｍｏｄ４）、
ｊ＝ｆｌｏｏｒ（ＳＣＩＶ［ｉ］／４）および
ＢＲ２（＊）は２つのビットのためのビット反転演算である、請求項５の方法。
【請求項７】
前記１つ以上インターレースをインターリーブすることは：２Ｋ  ＦＦＴサイズに対して、ｉ番目の変調シンボルをインターレースＩｋ(ｓ)のｊ番目の副搬送波にマップすることによって２つの連続ＯＦＤＭシンボルをスロットｓにマッピングすることを含み、但し、ｉ｛０，１，…，４９９｝であり、
ｋ＝（ＳＣＩＶ［ｉ］ｍｏｄ２）および
ｊ＝ｆｌｏｏｒ（ＳＣＩＶ［ｉ］／２）
である、請求項５の方法。
【請求項８】
前記１つ以上のインターレースをインターリーブすることは：４Ｋ  ＦＦＴサイズに対して、１番目の変調シンボルをインデックスＳＣｌＶ［ｉを有するインターレース副搬送波にマッピングすることを含み、但し、ｉ∈｛０，１，．．．，４９９｝である、請求項５の方法。
【請求項９】
前記１つ以上のインターレースをインターリーブすることは、８ＫＦＦＴサイズに対して、ｉ番目変調シンボルをインターレースＩｋ(ｓ)のｊ番目の副搬送波にマッピングすることを含み、但し、ｉ∈（０、１、．．．、４９９）であり、
ｓはＯＦＤＭシンボルがマップされるスロットであり、
スロットが奇数ＭＡＣタイムユニットに属すれば、（ｊ＝２×ＳＣＩＶ［ｉ］）であり、
スロットが偶数ＭＡＣタイムユニットに属していれば、ｊ＝２×ＳＣＩＶ［ｉ］＋１である、請求項５の方法。
【請求項１０】
インターレースの数が８である、請求項１の方法。
【請求項１１】
ビット反転方法で１つ以上のインターレースの副搬送波をインターリーブすることはインターレース・テーブルを使用して割り当てられたスロットインデックスに従って順次線形方法で対応する副搬送波にコンステレーションシンボル・シーケンスのシンボルをマッピングすること含む、請求項１の方法。
【請求項１２】
前記１つ以上のインターレースをインターリーブすることはＯＦＤＭシンボル毎に生じる、請求項１の方法。
【請求項１３】
対応する副搬送波のマップされたシンボルが第１の順序でインターリーブされるように１つ以上のインターレースの副搬送波をビット反転方法でインターリーブし、
マップされた前記シンボルが第２の順序でインターリーブされるように一つ以上のインターレースをインターリーブするように構成されるプロセッサ。
【請求項１４】
種々のＦＦＴサイズを有する直交周波数分割多重（ＯＦＤＭ）を利用している無線通信システムにある、請求項１３のプロセッサ。
【請求項１５】
種々のＦＦＴサイズを有する直角周波数分割多重化（ＯＦＤＭ）を利用しているワイヤレス通信システムのプロセッサであって：
対応する副搬送波のマップされたシンボルが第１の順序でインターリーブされるように１つ以上のインターレースの副搬送波をビット反転方法でインターリーブする手段と、
マップされた前記シンボルが第２の順序でインターリーブされるように一つ以上のインターレースをインターリーブする手段と、
を具備するプロセッサ。
【請求項１６】
対応する副搬送波のマップされたシンボルが第１の順序でインターリーブされるように１つ以上のインターレースの副搬送波をビット反転方法でインターリーブすること、
前記マップされたシンボルが第２の順序でインターリーブされるように一つ以上のインターレースをインターリーブすること、
を含む方法をプロセッサに実行させる命令を記憶したコンピュータ読み取り可能記憶媒体。
【請求項１７】
副搬送波をインターリーブすることは、
空き副搬送波インデックスベクトル（ＳＣＩＶ）を作成すること；
インデックス変数（ｉ）をゼロに初期化すること；
ｉをそのビット反転９−ビット値（ｉｂｒ）に変換すること；
ｉｂｒが５１１未満ならば、ｉｂｒをＳＣＩＶに付加すること；
ｉが５１１未満であるならば、ｉを１つ増加すること、前記変換、付加及び増加を繰り返すこと、を含む、請求項１３のプロセッサ。
【請求項１８】
１Ｋ  ＦＦＴサイズに対して、ｉ番目の変調シンボルをインターフェースＩｋ（ｓ）のｊ番目の副搬送波にマップすることによって４つの連続ＯＦＤＭシンボルのインターフェースをスロットｓにマッピングすることを含み、但し、ｉ∈｛０，１，．．．，４９９｝であり、
ｋ＝ＢＲ２（ＳＣＩＶ［ｉ］ｍｏｄ４）、
ｊ＝ｆｌｏｏｒ（ＳＣＩＶ［ｉ］／４）および
ＢＲ２（＊）は２つのビットのためのビット反転演算である、請求項１７のプロセッサ。
【請求項１９】
前記１つ以上のインタフェースをインターリーブすることは、２Ｋ  ＦＦＴサイズに対して、ｉ番目の変調シンボルをインターフェースＩｋ(ｓ)のｊ番目の副搬送波にマップすることによって２つの連続ＯＦＤＭシンボルのインターフェースをスロットｓにマッピングすることを含み、但し、ｉ∈｛０，１，．．．，４９９｝であり、
ｋ＝（ＳＣＩＶ［ｉ］ｍｏｄ２）、
ｊ＝ｆｌｏｏｒ（ＳＣＩＶ［ｉ］／２）である、請求項１７のプロセッサ。
【請求項２０】
前記１つ以上のインターレースをインターリーブすることは：
４Ｋ  ＦＦＴサイズに対して、１番目の変調シンボルをインデックスＳＣｌＶ［ｉを有するインターレース副搬送波にマッピングすることを含み、但し、ｉ∈｛０，１，．．．，４９９｝である、請求項１７のプロセッサ。
【請求項２１】
前記１つ以上のインターレースをインターリーブすることは、８ＫＦＦＴサイズに対して、ｉ（０，１，．．．，４９９｝の場合に、ｉ番目変調シンボルをインターレースＩｋ(ｓ)のｊ番目の副搬送波にマッピングすることを含み、
ｓはＯＦＤＭシンボルがマップされるスロットであり、
スロットが奇数ＭＡＣタイムユニットに属すれば、（ｊ＝２×ＳＣＩＶ［ｉ］）であり、
スロットが偶数ＭＡＣタイムユニットに属していれば、ｊ＝２×ＳＣＩＶ［ｉ］＋１である、請求項１７のプロセッサ。
【請求項２２】
ビット反転方法で１つ以上のインターレースの副搬送波をインターリーブすることはインターレース・テーブルを使用して割り当てられたスロットインデックスに従って順次線形方法で対応する副搬送波にコンステレーションシンボル・シーケンスのシンボルをマッピングすること含む、請求項１３のプロセッサ。
【請求項２３】
副搬送波をインターリーブする手段は：
空き副搬送波インデックスベクトル（ＳＣＩＶ）を作成する手段と；
インデックス変数（ｉ）をゼロに初期化する手段と；
ｉをそのビット反転９−ビット値（ｉｂｒ）に変換する手段と；
ｉｂｒが５１１未満ならば、ｉｂｒをＳＣＩＶに付加する手段と；
ｉを１つ増加し、ｉが５１１未満であるならば、前記変換、付加及び増加を繰り返す手段と、を含む、請求項１５のプロセッサ。
【請求項２４】
前記１つ以上のインターレースをインターリーブする手段は
１Ｋ  ＦＦＴサイズに対して、ｉ番目の変調シンボルをインターフェースＩｋ(ｓ)のｊ番目の副搬送波にマップすることによって４つの連続ＯＦＤＭシンボルのインターフェースをスロットｓにマッピングすることを含み、但し、ｉ∈｛０，１，．．．，４９９｝であり、
ｋ＝ＢＲ２（ＳＣＩＶ［ｉ］ｍｏｄ４）、
ｊ＝ｆｌｏｏｒ（ＳＣＩＶ［ｉ］／４）および
ＢＲ２（＊）は２つのビットのためのビット反転演算である、請求項２３の方法。
【請求項２５】
前記１つ以上のインターレースをインターリーブする手段は２Ｋ  ＦＦＴサイズに対して、ｉ番目の変調シンボルをインターフェースＩｋ（ｓ）のｊ番目の副搬送波にマップすることによって２つの連続ＯＦＤＭシンボルのインターフェースをスロットｓにマッピングすることを含み、但し、ｉ∈｛０，１，．．．，４９９｝であり、
ｋ＝（ＳＣＩＶ［ｉ］ｍｏｄ２）、
ｊ＝ｆｌｏｏｒ（ＳＣＩＶ［ｉ］／２）である、請求項２３のプロセッサ。
【請求項２６】
前記１つ以上のインターレースをインターリーブする手段は：
４Ｋ  ＦＦＴサイズに対して、ｉ番目の変調シンボルをインデックスＳＣｌＶ［ｉ］を有するインターレース副搬送波にマッピングする手段を含み、但し、ｉ∈｛０，１，．．．，４９９｝である、請求項２３のプロセッサ。
【請求項２７】
前記１つ以上のインターレースをインターリーブする手段は、
８ＫＦＦＴサイズに対して、ｉ番目変調シンボルをインターレースＩｋ（ｓ）のｊ番目の副搬送波にマッピングすることを含み、但し、ｉ∈（０、１、．．．、４９９）であり、
ｓはＯＦＤＭシンボルがマップされるスロットであり、
前記スロットが奇数ＭＡＣタイムユニットに属すれば、（ｊ＝２×ＳＣＩＶ［ｉ］）であり、
前記スロットが偶数ＭＡＣタイムユニットに属していれば、ｊ＝２×ＳＣＩＶ［ｉ］＋１である、請求項２３のプロセッサ。
【請求項２８】
ビット反転方法で１つ以上のインターレースの副搬送波をインターリーブすることはインターレース・テーブルを使用して割り当てられたスロットインデックスに従って順次線形方法で対応する副搬送波にコンステレーションシンボル・シーケンスのシンボルをマッピングすること含む、請求項１５のプロセッサ。
【請求項２９】
副搬送波をインターリーブすることは、
空き副搬送波インデックスベクトル（ＳＣＩＶ）を作成すること；
インデックス変数（ｉ）をゼロに初期化すること；
ｉをそのビット反転９−ビット値（ｉｂｒ）に変換すること；
ｉｂｒが５１１未満ならば、ｉｂｒをＳＣＩＶに付加すること；
ｉを１つ増加し、ｉが５１１未満であるならば、前記変換、付加及び増加を繰り返すこと、を含む、請求項１６のコンピュータ読み取り可能記憶媒体。
【請求項３０】
前記１つ以上のインターレースをインターリーブすることは
１Ｋ  ＦＦＴサイズに対して、ｉ番目の変調シンボルをインターフェースＩｋ(ｓ)のｊ番目の副搬送波にマップすることによって４つの連続ＯＦＤＭシンボルのインターフェースをスロットｓにマッピングすることを含み、但し、ｉ∈｛０，１，．．．，４９９｝であり、
ｋ＝ＢＲ２（ＳＣＩＶ［ｉ］ｍｏｄ４）、
ｊ＝ｆｌｏｏｒ（ＳＣＩＶ［ｉ］／４）および
ＢＲ２（＊）は２つのビットのためのビット逆転演算である、請求項２９のコンピュータ読み取り可能記憶媒体。
【請求項３１】
前記１つ以上のインターレースをインターリーブすることは
２Ｋ  ＦＦＴサイズに対して、ｉ番目の変調シンボルをインターフェースＩｋ(ｓ)のｊ番目の副搬送波にマップすることによって２つの連続ＯＦＤＭシンボルのインターフェースをスロットｓにマッピングすることを含み、但し、ｉ∈｛０，１，．．．，４９９｝であり、
ｋ＝（ＳＣＩＶ［ｉ］ｍｏｄ２）、
ｊ＝ｆｌｏｏｒ（ＳＣＩＶ［ｉ］／２）である、請求項２９のコンピュータ読み取り可能記憶媒体。
【請求項３２】
前記１つ以上のインターレースをインターリーブすることは
４Ｋ  ＦＦＴサイズに対して、ｉ番目の変調シンボルをインデックスＳＣＩＶ［ｉ］を有するインターレース副搬送波にマッピングすることを含み、但し、ｉ∈｛０，１，．．．，４９９｝である、請求項２９のコンピュータ読み取り可能記憶媒体。
【請求項３３】
前記１つ以上のインターレースをインターリーブすることは、
８ＫＦＦＴサイズに対して、ｉ番目変調シンボルをインターレースＩｋ（ｓ）のｊ番目の副搬送波にマッピングすることを含み、但し、ｉ∈（０、１、．．．、４９９）であり、
ｓはＯＦＤＭシンボルがマップされるスロットであり、
スロットが奇数ＭＡＣタイムユニットに属すれば、（ｊ＝２×ＳＣＩＶ［ｉ］）であり、
スロットが偶数ＭＡＣタイムユニットに属していれば、ｊ＝２×ＳＣＩＶ［ｉ］＋１である、請求項２９のコンピュータ読み取り可能記憶媒体。
【請求項３４】
ビット反転方法で１つ以上のインターレースの副搬送波をインタリーブすることはインターレース・テーブルを使用して割り当てられたスロットインデックスに従って順次線形方法で対応する副搬送波にコンステレーションシンボル・シーケンスのシンボルをマッピングすること含む、請求項１６のコンピュータ読み取り可能記憶媒体。
【手続補正２】
【補正対象書類名】明細書
【補正対象項目名】００６１
【補正方法】変更
【補正の内容】
【００６１】
開示された実施形態のこれまでの説明は、当業者による本発明の製作を、又は使用を、可能にするために提供されている。これらの実施形態に対する様々な変更は当業者にとって直ちに明白となるであろうし、本明細書で定めた一般原理は、本発明の精神又は範囲から逸脱することなく他の実施形態へ適用できる。よって、本発明は本明細書で示された実施形態に限定されることを意図せず、本明細書で開示される原理と新規な特徴とに合致する最も広い範囲が与えられるべきものである。
以下に本件出願当初の特許請求の範囲に記載された発明を付記する。
[１]  インターリービングのため]の方法において、ビット逆転方法でインターレースの副搬送波をインターリーブすることと、前記ビット逆転方法で前記インターレースをインターリーブすることと、を備えた方法。
[２]  前記副搬送波の数が２のべき乗でないなら、前記ビット逆転方法は、低減されたセットのビット逆転動作である、[１]の方法。
[３]  前記副搬送波の数は５００である、[２]の方法。
[４]  前記インターレースの数は８である、[３]の方法。
[５]  前記ビット逆転方法におけるインターレースの副搬送波をインターリーブすることは、インターレース表を用いて割り当てられたスロットインデックスに従って、コンステレーションシーケンスのシンボルをシーケンシャル線形方法における対応する副搬送波にマッピングすることを含む、[１]の方法。
[６]  ビット逆転方法でインターレースの副搬送波をインターリーブし、前記ビット逆転方法で前記インターレースをインターリーブするように構成されたプロセッサ。
[７]  ビット逆転方法でインターレースの副搬送波をインターリーブする手段と、前記ビット逆転方法で前記インターレースをインターリーブする手段と、を備えたプロセッサ。
[８]  インターリービングのため]の方法を具現化する読み取り可能媒体において、ビット逆転方法でインターレースの副搬送波をインターリーブすることと、前記ビット逆転方法で前記インターレースをインターリーブすることと、を含む、読み取り可能媒体。